(57)【特許請求の範囲】
【請求項１】
カッティングペンをペンホルダで保持しこのペンホルダを可動させる可動部材によって上下動させるとともにシート材料に対してＸ−Ｙ方向に相対的に移動するペンキャリッジを備え、シート材料から所望の文字や図形を切り抜くカッティングプロッタにおけるシート浮き防止機構であって、
上記カッティングペンが、下端に刃先を形成した棒状カッタと、刃先を下端から突出させた状態で上記カッタを中心軸に沿って回動自在に保持するホルダ部材と、
ホルダ部材の下部側に上下動自在に配設されたカッティングガイドと、
ホルダ部材とカッティングガイドの間に介在し、カッティングガイドを下方に付勢する付勢部材を有し、
カッティングペンがペンアップ状態にあるとき、カッティングガイドが付勢部材によって下方に付勢され、刃先位置高さよりカッティングガイドの下端位置高さが低くなるように設定され、
カッティングガイドに係合部を設け、
上記ペンキャリッジの下方に、一端が上記係合部に当接しカッティングペンの下降によって押し下げられ、他端がペンキャリッジに配設された可動部材の下端部に当接し、カッティングペンとともに移動する可動部材の下降によって押し下げられるようになった押し上げピンを回動自在に枢支し、
可動部材を下降させると、まずカッティングペンの係合部が押し上げピンの一端を押し下げてカッティングガイドの下端部がシート材料を下方に押圧し、ついで可動部材の下端面が押し上げピンの他端を押し下げ、その一端が付勢部材の付勢力に抗してカッティングガイドを上方に移動させ、刃先を突出させるようになったカッティングプロッタにおけるシート浮き防止機構。
【請求項２】
カッティングペンをペンホルダで保持しこのペンホルダを可動させる可動部材によって上下動させるとともにシート材料に対してＸ−Ｙ方向に相対的に移動するペンキャリッジを備え、シート材料から所望の文字や図形を切り抜くカッティングプロッタにおけるシート浮き防止機構であって、
上記ペンキャリッジにソレノイドの駆動により上下動しシート材料を押圧するシート押さえ部材を配設するとともに、このシート押さえ部材がペンダウンの動作時にはシート材料を押圧してシートの浮きを防止し、それ以外のときは、シート材料から離れていることを特徴とするカッティングプロッタにおけるシート浮き防止機構。
【請求項３】
上記ペンキャリッジにはシート押さえ部材が回動自在に枢支され、上記シート押さえ部材の近傍に上記シート押さえ部材を回動させるためのソレノイドが配置され、上記シート押さえ部材の一端にはシート材料を押圧する爪部が、他端には上記ソレノイドに連結される連結部が形成され、上記ソレノイドの駆動によって上記シート押さえ部材が回動することを特徴とする請求項２記載のカッティングプロッタにおけるシート浮き防止機構。
【発明の詳細な説明】
【０００１】
【産業上の利用分野】
本発明は、カッティングプロッタにおけるシート浮き防止機構、さらに詳しくはシート材料を押圧してシート浮きを防止する機構に関するものである。
【０００２】
【従来の技術】
従来より、台紙付き塩化ビニルシートなどのシート材料に対してカッティングペンを移動させ、所望の文字や図形を切り抜くカッティングプロッタが知られている。
【０００３】
シート材料を切り抜く場合には、まずシート材料をカッティングプロッタのベッドに載置し、シート材料吸着装置をもってシート材料をベッドに吸着させる。つぎにベッドに吸着されたシート材料に対してカッティングペンを接触または離反させながらＸ−Ｙ方向に移動して所望の文字や図形を切り抜くようになっている。
【０００４】
上記シート材料吸着装置としては、フラットベッド型カッティングプロッタによく用いられている静電吸着装置、そしてシートムーブ型カッティングプロッタによく用いられているバキューム装置などがある。また、上記カッティングペンとしては、中心軸からずれた刃先を有し刃先が中心軸の移動方向に追従する追従式カッティングペン、刃先が中心軸上にあって刃先の向きを機械的に回動させるθ制御式カッティングプロッタまたは熱針によっていずれの方向にも熱切断できるヒートカッティングペンなどがある。
【０００５】
カッティングプロッタの一例として、シートムーブ型カッティングプロッタを図８を参照して説明する。このカッティングプロッタ１には、シート材料をバキューム吸着するベッド２と、一対のピンチローラ３，３’と一本の駆動ローラ４とから構成されシート材料を挟持してＸ方向に移動させるためのシート搬送装置と、ベッド２に対して一定間隔をもってベッド２の上方に長手方向に沿って位置するＹレール５と、カッティングペンを保持しながらＹレール５上を移動するペンキャリッジ６とが配設されている。
【０００６】
【発明が解決しようとする課題】
上記カッティングプロッタの使用に際して、図９に示すように、シート材料２１の癖が強く、シート材料２１がベッド２より浮き上がった状態になった場合、浮き上がったシート材料２１に移動中のカッティングペン１０の刃先１０ａが接触し、シート材料２１を傷つけてしまうという問題点があった。
【０００７】
さらに、シート材料２１の浮き上がった部分にペンダウンした場合、刃先１０ａが比較的早くシート材料２１に接し、そこから刃先１１ａがシート材料２１を押してベッド２に衝突する。このため、シート材料２１の浮き上がっていない部分へのペンダウンに比較して、シート材料２１への食い込み深さが深くなる。したがって、刃先１０ａがシート材料２１を突き抜けてベッド２を傷めたり、刃先１０ａ自身を傷めたりするなどの問題点があった。
【０００８】
本発明は上記の事情を鑑みてなされたもので、その目的とするところは、ペンアップ状態でのペン移動時において、カッティングペンの刃先が浮き上がったシート材料に接触することがなく、ペンダウン時において、シート材料の浮き上がりを防止して刃先の食い込み深さを常に一定に保つことができるようになるカッティングプロッタのシート浮き防止機構を提供することにある。
【０００９】
【課題を解決するための手段】
上記目的を達成するために、本発明に係るシート浮き防止機構の第１の要旨は、
カッティングペンをペンホルダで保持しこのペンホルダを可動させる可動部材によって上下動させるとともにシート材料に対してＸ−Ｙ方向に相対的に移動するペンキャリッジを備え、シート材料から所望の文字や図形を切り抜くカッティングプロッタにおけるシート浮き防止機構であって、
上記カッティングペンが、下端に刃先を形成した棒状カッタと、刃先を下端から突出させた状態で上記カッタを中心軸に沿って回動自在に保持するホルダ部材と、ホルダ部材の下部側に上下動自在に配設されたカッティングガイドと、ホルダ部材とカッティングガイドの間に介在し、カッティングガイドを下方に付勢する付勢部材を有し、
カッティングペンがペンアップ状態にあるとき、カッティングガイドが付勢部材によって下方に付勢され、刃先位置高さよりカッティングガイドの下端位置高さが低くなるように設定されていることにある。
【００１０】
また、本発明の第２の要旨は、上記第１の要旨の構成に加え、
カッティングペンのカッティングガイドに係合部を設け、上記ペンキャリッジの下方に、一端が上記係合部に当接しカッティングペンの下降によって押し下げられ、他端がペンキャリッジに配設された可動部材の下端部に当接し、カッティングペンとともに移動する可動部材の下降によって押し下げられるようになった押し上げピンを回動自在に枢支し、可動部材を下降させると、まずカッティングペンの係合部が押し上げピンの一端を押し下げてカッティングガイドの下端部がシート材料を下方に押圧し、ついで可動部材の下端面が押し上げピンの他端を押し下げ、その一端が付勢部材の付勢力に抗してカッティングガイドを上方に移動させ、刃先を突出させるようになっていることにある。
【００１１】
さらに、本発明の第２の要旨は、カッティングペンをペンホルダで保持しこのペンホルダを可動させる可動部材によって上下動させるとともにシート材料に対してＸ−Ｙ方向に相対的に移動するペンキャリッジを備え、シート材料から所望の文字や図形を切り抜くカッティングプロッタにおけるシート浮き防止機構であって、上記ペンキャリッジにソレノイドの駆動により上下動しシート材料を押圧するシート押さえ部材を配設するとともに、このシート押さえ部がペンダウンの動作時にはシート材料を押圧してシートの浮きを防止し、それ以外のときは、シート材料から離れるようにしたことにある。
【００１２】
さらにまた、本発明の第４の要旨は、
第３の要旨のシート浮き防止機構であって、
ペンキャリッジにはシート押さえ部材が回動自在に枢支され、上記シート押さえ部材の近傍に上記シート押さえ部材を回動させるためのソレノイドが配置され、上記シート押さえ部材の一端にはシート材料を押圧する爪部が、他端には上記ソレノイドに連結される連結部が形成され、上記ソレノイドの駆動によって上記シート押さえ部材が回動することにある。
【００１３】
【作用】
上記第１の要旨として挙げたように、シート浮き防止機構を備えたカッティングペンのカッティングガイドは、付勢部材によって下方に付勢され、刃先位置高さよりカッティングガイドの下端位置高さが低くなるように設定されているため、シート材料の浮き上がった部分が刃先に接触することがなく、したがって刃先でシート材料を傷つけてしまうことがない。また、シート材料の浮き上がった部分にカッティングペンが下降すると、カッティングガイドはシート材料を押圧してシート材料の浮きを抑え、そしてさらにカッティングペンの下降が進むとシート材料がカッティングペンの付勢部材の付勢力に抗してカッティングガイドを上昇させるようになる。ついでカッティングペンの刃先がシート材料に当接し所定の深さまで食い込むようになる。
【００１４】
上記第２の要旨として挙げたように、上記カッティングガイドには係合部が設られ、ペンキャリッジの下方には押し上げピンが回動自在に枢支されているため、シート材料にカッティングペンが下降すると、上記係合部が上記押し上げピンの一端を押し下げるとともに、カッティングガイドの下端面がシート材料を押圧するようになる。さらにカッティングペンが下降すると、可動部材の下端部が上記押し上げピンの他端を押し下げて上記押し上げピンを回転させ、上記押し上げピンの一端がカッティングガイドを押し上げるようになる。したがってカッティングガイドはシート材料から離反し、カッティングペンの刃先のみがシート材料に接するようになる。
【００１５】
上記第３の要旨として挙げたように、ソレノイドの駆動により上下動しシート材料を押圧するシート押さえ部材をペンキャリッジに配設するとともに、このシート押さえ部がペンダウンの動作時にはシート材料を押圧してシートの浮きを防止し、それ以外のときは、シート材料から離れるように設定されている。このため、シート材料の浮き上がった部分が刃先に接触することがなく、したがって刃先でシート材料を傷つけてしまうことがない。また、シート材料の浮き上がった部分にカッティングペンが下降するとき、まず上記ソレノイドが駆動されてシート押さえ部材を降下させるようになっている。したがって、カッティングペンは押圧されたシート材料に降下することになるため、刃先がシート材料に当接して所定の深さまで食い込むようになる。
【００１６】
上記第４の要旨として挙げたように、ペンキャリッジにはシート押さえ部材が回動自在に枢支され、上記シート押さえ部材の一端にはシート材料を押圧する爪部が、他端には上記ソレノイドに連結される連結部が形成され、上記ソレノイドの駆動によって上記シート押さえ部材が回動するようになっている。したがってシート材料の浮き上がった部分にカッティングペンが下降するとき、まず上記ソレノイドが駆動されてシート押さえ部材が回転され、上記爪部がシート材料を押圧するようになっている。そしてカッティングペンは押圧されたシート材料に降下することになるため、刃先がシート材料に当接して所定の深さまで食い込むようになる。ついで上記ソレノイドを駆動させて上記シート押さす部材を上記回転方向に対して反対方向に回転させる。したがって上記爪部はシート材料から離反し、カッティングペンの刃先のみがシート材料に接するようになる。
【００１７】
【実施例】
以下、本発明の実施例を図面を参照して説明する。
図１はこの発明に係るシート浮き防止機構の第１の実施例を示している。図１において、カッティングペン３４は、中心軸からオフセット距離ｄだけずれた刃先１１ａ（通常、中心軸から約０．５ｍｍ位ずれた刃先）を有し磁性体で棒状に形成されたカッタ１１と、そのカッタ１１を保持するためのカッタホルダ１２とから構成されている。上記カッタホルダ１２は、筒状のホルダ部材１３を有していて、ホルダ部材１３の内周部には、磁性パイプ１４が固着され、この磁性パイプ１４の下端には、磁力によりピボットベアリング１５を吸着したマグネット１６が磁力により吸着されている。また、上記磁性パイプ１４内には、上端がホルダ部材１３から突出する長さに形成された磁性体カッタ押し出しピン１７が挿入されており、その下端部はマグネット１６に吸着されている。さらに、ホルダ部材１３の下端には、凹所１３ａが形成され、この凹所１３ａには、ミニチュアベアリング１８が配設されている。さらにまた、底面中央部に孔３０ａを有する断面形状Ｕ字状のホルダキャップ３０がホルダ部材１３にＯリング２０を介してネジ止めされている。
【００１８】
また、ホルダキャップ３０の外周面における略中腹部から略下端部にかけて円周に沿った溝３０ｂが形成されている。そしてこの溝３０ｂの下端側にカッティングガイド３２が設けられている。このカッティングガイド３２は円筒形であり、その内周面における略中腹部には下方へ大径となるような段部が形成されている。そして段部より上方にあって後述するコイルバネに係合する係合部３２ａの内径は、溝３０ｂの部位におけるホルダキャップ３０の外径より若干大きく形成されている。また、上記溝３０ｂにはコイルバネ３１が配設され、そのコイルバネ３１の上端部は溝３０ｂの段部３０ｃに係止され、下端部はカッティングガイド３２の係合部３２ａに係合されている。
【００１９】
このように構成されたカッタホルダ１２にカッタ１１を挿入すると、ホルダキャップ３０の孔３０ａからカッタ１１の刃先１１ａが所定の長さ（極めて短い長さであり、通常、約３ｍｍ位である。）だけ突出することになる。そしてカッタ１１がピボットベアリング１５を介してマグネット１６により吸着されることによって、カッタホルダ１２内に保持されるので、カッタホルダ１２からのカッタ１１の落下防止が図られるとともに、カッタ１１がカッタホルダ１２に対して、その軸芯周りに回動自在に配置されることになる。
【００２０】
また、ペンアップの状態ではコイルバネ３１によりカッティングガイド３２が下方へ押圧されてカッティングガイド３２の係合部３２ａの段部３２ｂが溝３０ｂの段部３０ｄに係止された状態になっている。そしてこの状態でカッティングガイド３２の下端部３２ｃはカッタ１１の刃先１１ａより下方に位置するようになっている。さらに、コイルバネ３１とカッティングガイド３２の係合部３２ａの外周には円筒状の外側ガイド３３が固着されている。
【００２１】
つぎに上記カッティングペン３４を図８に示したカッティングプロッタに取り付けてカッティングを行う際の動作を説明する。ペンダウン動作において、カッティングペン３４が下方に移動すると、まずカッティングガイド３２がシート材料に当接し、そしてシート材料をベッドに押さえ付ける。ついでペンダウン動作が進むとカッティングガイド３２がコイルバネ３１に抗して押し上げられとともにカッタ１１の刃先１１ａがシート材料に当接する。さらにペンダウン動作が進むとカッタ１１の刃先１１ａは所定の深さまでシート材料に食い込むようになる。そしてこの状態でカッティングペン３４を移動させると、カッティングガイドでシート材料を押さえながらカッタ１１の刃先１１ａがシート材料を切断するようになる。
【００２２】
上記カッティングペン３４を用いたカッティングプロッタは、シート材料がベッドより浮き上がった状態になっていた場合、ペンアップ状態でＸ−Ｙ移動中のカッティングペン３４が浮き上がったシート材料に接触しても、シート材料が刃先１１ａに接触することがないため、刃先の向きが変わってしまったり、刃先でシート材料を傷つけてしまったりすることがない。さらに、ペンダウン動作において、シート材料をベッドに押さえ付けてからシート材料に刃先が接触するため、シート材料へ刃先１１ａが食い込みすぎることがなく、常に所定の深さを維持する。このため、刃先１１ａがシート材料を突き抜けてベッドや刃先を傷めたりすることがなく、また、始点（その場所）で刃先を回転させても、シート材料がジャミングを起こしたりすることがほとんどない。
【００２３】
第２の実施例として、滑性のないカッティング表面を有するシート材料に好適に用いられるカッティングプロッタを図２および図３を参照して説明する。図２に示されているように第２の実施例のカッティングプロッタに用いられるカッティングペン４１はカッティングガイド４０の略下端部においてその円周に沿って突起部４０ａが形成されている。それ以外の部分の構成については、図１のカッティングペンの構成と同様である。したがって同一部分に同一符号を記している。また、図３に示されているように、このカッティングペン４１を保持するペンキャリッジ４２にはカッティングガイド４０を上昇させるための押し上げピン４３が備えられている。
【００２４】
上記ペンキャリッジ４２は図３に示したように、ペンキャリッジベース４４が正面視において略コの字状に形成され、ペンキャリッジベース４４の略中央部にソレノイド４５が装着されている。このソレノイド４５の左右の位置にはそれぞれガイド軸４６ａ，４６ｂがそれぞれの上下端をペンキャリッジベース４４に固定された状態で立設されている。また、上記ソレノイド４５の上面部には可動部材４７がその略中央部においてネジ止めされており、上記可動部材４７の一端にはカッティングペンを保持するペンホルダ４８、そして上記可動部材４７の他端にはソレノイド４５の右側に位置するガイド軸４６ａに対して摺動するガイドローラ４９が取り付けられている。さらに、上記可動部材４７のペンホルダ４８の近傍には挿通穴が穿設されており、上記挿通穴にはソレノイド４５の左側に位置するガイド軸４６ｂが挿通されている。
【００２５】
また、上記ペンキャリッジベース４４の左側面下部において、カッティングペン４１のカッティングガイドを押し上げるための押し上げピン４３が図４に示すように回動自在に軸に枢支されている。この押し上げピン４３は、ペンホルダ４８側に突出しペンホルダ４８が下降した際にカッティングガイド４０に接触するガイド係合部４３ａと、可動部材側４７に突出しペンホルダ４８が下降した際に可動部材４７の後端下部４７ａに接触する可動部材係合部４３ｂと、ペンキャリッジベース４４から横方向に凸設されたピンストッパー５０に上下壁を当接させて押し上げピン４３の回動を制限するスリットとが設けられている。
【００２６】
そして、上記ソレノイド４５に通電−不通電が繰り返されたときには、ソレノイド４５の上下動に伴って、ソレノイド４５にネジ止めされた可動部材４７がガイド軸４６ａ，４６ｂに沿って上下動する。このため、可動部材４７に取り付けられたペンホルダ４８も上下動することになり、ペンホルダ４８に保持されるカッティングペン４１がベッドに離合してカッティング作業を行えるようになされている。また、このような可動部材４７の動作に伴って押し上げピン４３が回動するようになっている。
【００２７】
さらに詳しくカッティングペン４１のペンダウン動作に伴うカッティングガイド４０と押し上げピン４３の動作について図５を参照して説明する。図５（ａ）はカッティングガイド４０が押し上げピン４３に当接する前の状態を示している。この状態でピンストッパー５０はスリット４３ｃのほぼ中央に位置している。この状態からカッティングペン４１は、押し上げピン４３のガイド係合部４３ａを押しながらペンダウンし、押し上げピン４３を時計回りに回転させる。そしてカッティングペン４１がシート材料５１にほぼ当接する位置までペンダウンしたとき（図５（ｂ）参照）、ピンストッパー５０はスリット４３ｃの下壁に当接して押し上げピン４３の回転を停止させる。そこからさらにカッティングペン４０がペンダウンすると、可動部材４７の後端下部４７ａで押し上げピン４３の可動部材係合部４３ｂが押し下げられることによって、押し上げピン４３を反時計回り回転させ、カッティングガイド４０を上昇させるとともに、カッタの刃先１１ａをシート材料５１に所定の深さまで食い込ませる（図５（ｃ）参照）。この状態でカッティングペン４１をＸ−Ｙ方向に移動させれば、カッティングガイド４０がシート材料５１に接していないので、シート材料５１をスムーズに切断することができる。
【００２８】
また、カッティングペン４１をペンアップさせるときは、ペンダウンさせたときとは逆の動作をする。したがって、刃先１１ａにくっつき易いシート材料を使用した場合であっても、シート材料が若干持ち上げられた所でカッティングガイド４０がシート材料を押さえつけるため、シート材料が刃先１１ａから離されるようになる。
【００２９】
ついで、滑性のないカッティング表面を有するシート材料に好適に用いられるシート浮き防止機構として、図６および図８を参照して第３の実施例を説明する。第３の実施例は従来のカッティングペン１０を用いたカッティングプロッタにおけるシート浮き防止機構であり、シート材料を押されるシート押さえ機構６０が付設されている。
【００３０】
上記シート押さえ機構６０は、シート押さえ部材６１と、このシート押さえ部材６１を回動させるソレノイド６２とから構成されている。さらに詳しく説明すると、上記シート押さえ部材６１は、図６（ｂ）に示されているように先端に分岐した爪部６１ａが形成され、後端に上記ソレノイド６２に連結される連結部６１ｂが形成されている。さらに胴部６１ｃには孔６１ｄが形成されており、この孔６１ｄにはネジ軸６３が通されペンキャリッジ６４のペンキャリッジベース６５に回動自在に取り付けられる。また、ソレノイド６２の移動芯６２ａはシート押さえ部材６１の連結部６１ｂに連結されており、移動芯６１ａの外周には連結部６１ｂを下方に付勢するためのバネ６２ｂが配置されている。それ以外の部分の構成については、図３のペンキャリッジの構成と同様である。したがって同一部分に同一符号を記している。
【００３１】
つぎにカッティングペン１０のペンダウン動作に伴うシート押さえ部材６１の動作について図７を参照して説明する。まず、カッティングペン１０が上昇した位置に停止しているとき、上記ソレノイド６２はＯＦＦになっていて、図７（ａ）に示すようにバネ６２ｂによってシート押さえ部材６１の連結部６１ｂが押圧され、シート押さえ部材６１の爪部６１ａはシート材料６６から離反した状態になっている。つぎにカッティングペン１０がペンダウンされると、それに伴いソレノイド６２がＯＮになり、シート押さえ部材６１の連結部６１ｂが引き上げられる。その結果、シート押さえ部材６１はネジ軸６４を中心として時計回りに回転し、図７（ｂ）に示すように爪部６１ａがシート材料６６を押さえるようになっている。そしてカッティングペン１０の刃先１０ａがシート材料６６に食い込んで停止すると、ソレノイド６２がＯＦＦになり、バネ６２ｂによってシート押さえ部材６１はネジ軸６４を中心として反時計回りに回転し、図７（ｃ）に示すように爪部６１ａがシート材料６６から離反するようになっている。
【００３２】
上記カッティングペン１０を用いたカッティングプロッタは、ペンアップ時において、カッティングペン１０の刃先１０ａがシート押さえ部材６１の爪部６１ａより高い位置にあるため、シート材料が浮き上がったとしてもカッティングペン１０の刃先１０ａに接触することはない。その結果、刃先１０ａの向きが変わってしまったり、刃先１０ａで浮き上がったシート材料を傷つけることがない。さらに、ペンダウン動作において、シート押さえ部材６１の爪部６１ａでシート材料６６をベッドに押さえ付けてからシート材料６６に刃先１０ａが接触するため、シート材料６６へ刃先１０ａが食い込みすぎることがなく、常に所定の深さを維持するなど、第１実施例と同様の作用効果を奏する。
【００３３】
なお、上記実施例ではシート押さえ部材６１の胴部６１ｃで枢支し回動自在に支持しているが、胴部６１ｃでの枢支を行わずシート押さえ部材６１の連結部６１ｂにソレノイド６２の移動芯６２ａを固着し、ソレノイド６２の駆動によりシート押さえ部材６１を直接上下動させるようにしてもよい。
【００３４】
また、上記第１乃至第３の実施例では中心軸からオフセット距離だけずれた刃先を有するカッティングペンを用いていたが、刃先が中心軸上にあり刃先の向きを機械的に回動させるθ制御式カッティングペンや熱針によりいずれの方向にも熱切断できるヒートカッティングペンを用いてもよい。さらに、上記第１乃至第３の実施例ではシートムーブ型プロッタを採用しているが、この発明はこれに限定されるものではなく、例えば静電吸着板にシート材料を固定して切断作業を行うフラットベッド型プロッタであってもよい。
【００３５】
【発明の効果】
本発明に係るシート浮き防止機構の第１の要旨は上記のように構成されいてるので、つぎのような効果を奏する。すなわち、カッティングペンがペンアップ状態にあるとき、カッティングガイドが付勢部材によって下方に付勢され、刃先位置高さよりカッティングガイドの下端位置高さが低くなっているため、ペンアップ状態でのペン移動時にカッティングペンの刃先が浮き上がったシート材料に接触してシート材料を傷つけることがない。また、ペンダウン時において、カッティングガイドがシートの浮き上がりを防止して刃先の食い込み深さを常に一定に保つことができる。
【００３６】
本発明に係るシート浮き防止機構の第２の要旨は上記のように構成されいてるので、つぎのような効果を奏する。すなわち、第１の要旨である上記カッティングペンのカッティングガイドに係合部を設け、上記ペンキャリッジの下方に押し上げピンを回動自在に枢設したため、カッティングペンが下降して可動部材の下端部が上記押し上げピンの他端を押し下げると、上記押し上げピンが回転してその一端がカッティングガイドを押し上げるようになる。このため、カッティングガイドはシート材料から離反し、カッティングペンの刃先のみがシート材料に接するようになり、滑性のないカッティング表面を有するシート材料に好適に用いることができる。
【００３７】
本発明に係るシート浮き防止機構の第３の要旨は上記のように構成されているので、つぎのような効果を奏する。すなわち、シート押さえ部がペンダウンの動作時にはシート材料を押圧してシートの浮きを防止しているため、刃先の食い込み深さを常に一定に保つことができる。
【００３８】
本発明に係るシート浮き防止機構の第４の要旨は上記のように構成されいてるので、つぎのような効果を奏する。すなわち、ペンキャリッジにシート押さえ部材が枢支され、ソレノイドの駆動によりシート押さえ部が正逆回動自在になっていて、刃先が所定の深さまで食い込んだときに、上記ソレノイドを駆動させて上記シート押さす部材を回転させシート材料から離反するようにしているため、カッティングペンの刃先のみがシート材料に接するようになり、滑性のないカッティング表面を有するシート材料に好適に用いることができる。
【図面の簡単な説明】
【図１】本発明に係るシート浮き防止機構の第１の実施例を示した半縦断面説明図である。
【図２】本発明に係るシート浮き防止機構の第２の実施例を示した半縦断面説明図である。
【図３】本発明に係るシート浮き防止機構の第２の実施例に用いられるペンキャリッジを示した内部説明斜視図である。
【図４】第２の実施例に用いられる押し上げピンの取り付け構成説明図である。
【図５】図４に示した押し上げピンの動作説明図であり、（ａ）はペンアップ状態説明図、（ｂ）はペンダウン状態説明図、（ｃ）は切断動作可能状態説明図である。
【図６】本発明に係るシート浮き防止機構の第３の実施例に用いられるペンキャリッジを示した説明図であり、（ａ）は内部説明斜視図、（ｂ）はシート押さえ部材の構成説明図である。
【図７】図６に示したシート押さえ部材の動作説明図であり、（ａ）はペンアップ状態説明図、（ｂ）はペンダウン状態説明図、（ｃ）は切断動作可能状態説明図である。
【図８】    従来のカッティングプロッタを示す斜視図である。
【図９】    従来のカッティングプロッタにおけるカッティングペンのペンアップ状態説明図である。
【符号の説明】
１０，３７，４１    カッティングペン
１１    カッタ
１０ａ，１１ａ  刃先
１３    ホルダ部材
３２，４０    カッティングガイド
４２，６４    ペンキャリッジ
４３    押し上げピン
４３ａ  ガイド係合部
４３ｂ  可動部材係合部
４７    可動部材
５１，６６    シート材料
６１    シート押さえ部材
６１ａ  爪部
６１ｂ  連結部
６２    ソレノイド（シート押さえ部材可動用）
【図１】
0003825816.tif 000002
【図２】
0003825816.tif 000003
【図３】
0003825816.tif 000004
【図４】
0003825816.tif 000005
【図５】
0003825816.tif 000006
【図６】
0003825816.tif 000007
【図７】
0003825816.tif 000008
【図８】
0003825816.tif 000009
【図９】
0003825816.tif 000010